(57)【要約】【課題】  反射型光変調素子で反射される不要光を十分に取り除くことを可能とする投写型映像表示装置を提供する。【解決手段】  投写型映像表示装置１００は、固体光源１１１と、固体光源１１１から出射される光を変調するＤＭＤ５００と、ＤＭＤ５００から出射される光を投写面上に投写する投写ユニット１５０とを収容する筐体２００を備える。投写型映像表示装置１００は、第１配置面と第２配置面とに沿って配置される。筐体２００は、第２配置面と対向する底面板２３０と、底面板２３０の反対側に設けられた天板２４０とを有する。天板２４０には、透過領域１８５及び投写面側遮光板８００が設けられる。投写面側遮光板８００は、透過領域１８５を透過した光のうち、映像を構成する光以外の不要光を遮光するように構成される。【選択図】  図１
2010266838.tif 000002
【特許請求の範囲】
【請求項１】
光源と、前記光源から出射される光を変調する反射型光変調素子と、前記反射型光変調素子から出射される光を投写面上に投写する投写ユニットとを収容する筐体を備えており、前記投写面と略平行な第１配置面と前記第１配置面に対して略垂直な第２配置面とに沿って配置される投写型映像表示装置であって、
前記筐体は、前記第２配置面と対向する底面板と、前記底面板の反対側に設けられた天板とを有しており、
前記天板には、前記投写ユニットから出射された光を透過する透過領域と、前記透過領域よりも前記投写面側に配置された投写面側遮光板とが設けられており、
前記投写面側遮光板は、前記透過領域を透過した光のうち、映像を構成する光以外の不要光を遮光するように構成されることを特徴とする投写型映像表示装置。
【請求項２】
前記天板には、前記投写面に平行な水平方向において前記透過領域に隣接して配置されたサイド遮光板が設けられており、
前記サイド遮光板は、前記透過領域を透過した光のうち、映像を構成する光以外の不要光を遮光するように構成されることを特徴とする請求項１に記載の投写型映像表示装置。
【請求項３】
前記投写面側遮光板は、前記投写面に平行な水平方向に沿った形状を有しており、
前記投写面に平行な水平方向において、前記投写面側遮光板の両側には、所定透過率を有する領域が設けられることを特徴とする請求項１に記載の投写型映像表示装置。
【請求項４】
前記投写面の法線方向に沿って前記投写面側遮光板を移動可能に支持する支持機構をさらに備えることを特徴とする請求項１に記載の投写型映像表示装置。
【請求項５】
前記投写面に平行な水平方向に延びる軸を中心として、前記投写面側遮光板を回動可能に支持する支持機構をさらに備えることを特徴とする請求項１に記載の投写型映像表示装置。
【請求項６】
前記投写面に平行な水平方向及び前記投写面の法線方向に直交する方向に沿って、前記投写面側遮光板を移動可能に支持する支持機構をさらに備えることを特徴とする請求項１に記載の投写型映像表示装置。
【発明の詳細な説明】
【技術分野】
【０００１】
本発明は、固体光源と、固体光源から出射される光を変調する光変調素子と、光変調素子から出射される光を投写面上に投写する投写ユニットとを備える投写型映像表示装置に関する。
【背景技術】
【０００２】
近年、レーザ光源などの固体光源と、固体光源から出射された光を変調する光変調素子と、光変調素子から出射された光を投写面上に投写する投写ユニットとを収容する筐体を有する投写型映像表示装置が知られている。
【０００３】
ここで、光変調素子として、ＤＭＤ（Ｄｉｇｉｔａｌ  Ｍｉｃｒｏｍｉｒｒｏｒ  Ｄｅｖｉｃｅ）などの反射型光変調素子を用いる技術が知られている。また、反射型光変調素子で反射される光のうち、映像を構成する光以外の不要光をアパーチャで遮光する技術も提案されている（例えば、特許文献１）。具体的には、アパーチャは、反射型光変調素子の近傍に設けられており、反射型光変調素子で反射される不要光を反射型光変調素子の近傍で遮光する。
【先行技術文献】
【特許文献】
【０００４】
【特許文献１】特開２００２―１２２９３８号公報
【発明の概要】
【発明が解決しようとする課題】
【０００５】
上述したように、アパーチャは、反射型光変調素子で反射される不要光を反射型光変調素子の近傍で遮光する。すなわち、アパーチャは、投写レンズの物面の近傍で不要光を遮光する。投写型映像表示装置では、物面に配置される反射型光変調素子から少しでもアパーチャが離れると、不要光を十分に取り除くことができなかった。
【０００６】
そこで、本発明は、上述した課題を解決するためになされたものであり、反射型光変調素子で反射される不要光を十分に取り除くことを可能とする投写型映像表示装置を提供することを目的とする。
【課題を解決するための手段】
【０００７】
第１の特徴に係る投写型映像表示装置は、光源（赤固体光源１１１Ｒ、緑固体光源１１１Ｇ、青固体光源１１１Ｂ）と、前記光源から出射される光を変調する反射型光変調素子（ＤＭＤ５００Ｒ、ＤＭＤ５００Ｇ、ＤＭＤ５００Ｂ）と、前記反射型光変調素子から出射される光を投写面上に投写する投写ユニット（投写ユニット１５０）とを収容する筐体（筐体２００）を備える。投写型映像表示装置は、前記投写面と略平行な第１配置面と前記第１配置面に対して略垂直な第２配置面とに沿って配置される。前記筐体は、前記第２配置面と対向する底面板（底面板２３０）と、前記底面板の反対側に設けられた天板（天板２４０）とを有する。前記天板には、前記投写ユニットから出射された光を透過する透過領域（透過領域１８５）と、前記透過領域よりも前記投写面側に配置された投写面側遮光板（投写面側遮光板８００）とが設けられる。前記投写面側遮光板は、前記透過領域を透過した光のうち、映像を構成する光以外の不要光を遮光するように構成される。
【０００８】
第１の特徴において、前記天板には、前記投写面に平行な水平方向において前記透過領域に隣接して配置されたサイド遮光板（サイド遮光板８０１Ａ及びサイド遮光板８０１Ｂ）が設けられている。前記サイド遮光板は、前記透過領域を透過した光のうち、映像を構成する光以外の不要光を遮光するように構成される。
【０００９】
第１の特徴において、前記投写面側遮光板は、前記投写面に平行な水平方向に沿った形状を有する。前記投写面に平行な水平方向において、前記投写面側遮光板の両側には、所定透過率を有する領域（減光フィルタ８３０、拡散板８４０又は小さな孔８５０）が設けられる。
【００１０】
第１の特徴において、投写型映像表示装置は、前記投写面の法線方向に沿って前記投写面側遮光板を移動可能に支持する支持機構をさらに備える。
【００１１】
第１の特徴において、投写型映像表示装置は、前記投写面に平行な水平方向に延びる軸を中心として、前記投写面側遮光板を回動可能に支持する支持機構をさらに備える。
【００１２】
第１の特徴において、投写型映像表示装置は、前記投写面に平行な水平方向及び前記投写面の法線方向に直交する方向に沿って、前記投写面側遮光板を移動可能に支持する支持機構をさらに備える。
【発明の効果】
【００１３】
本発明によれば、反射型光変調素子で反射される不要光を十分に取り除くことを可能とする投写型映像表示装置を提供することができる。
【図面の簡単な説明】
【００１４】
【図１】第１実施形態に係る投写型映像表示装置１００を示す斜視図である。
【図２】第１実施形態に係る投写型映像表示装置１００を側方から見た図である。
【図３】第１実施形態に係る投写型映像表示装置１００を上方から見た図である。
【図４】第１実施形態に係る光源ユニット１１０を示す図である。
【図５】第１実施形態に係る色分離合成ユニット１４０及び投写ユニット１５０を示す図である。
【図６】第１実施形態に係る天板２４０を示す図である。
【図７】第１実施形態に係る天板２４０を示す図である。
【図８】第１実施形態に係る天板２４０を示す図である。
【図９】第１実施形態に係る投写面側遮光板８００を示す図である。
【図１０】第１実施形態に係る不要光の遮光を説明するための図である。
【図１１】第１実施形態に係る不要光の遮光を説明するための図である。
【図１２】第１実施形態に係る不要光の遮光を説明するための図である。
【図１３】変更例１に係る投写面側遮光板８００を示す図である。
【図１４】変更例１に係る投写面側遮光板８００を示す図である。
【図１５】変更例１に係る投写面側遮光板８００を示す図である。
【図１６】変更例１に係る不要光の遮光を説明するための図である。
【図１７】変更例２に係る投写面側遮光板８００を示す図である。
【図１８】変更例２に係る投写面側遮光板８００を示す図である。
【図１９】変更例２に係る投写面側遮光板８００を示す図である。
【図２０】変更例３に係る投写型映像表示装置１００を示す斜視図である。
【図２１】変更例４に係る投写型映像表示装置１００を示す斜視図である。
【図２２】第２実施形態に係る投写型映像表示装置１００を側方から見た図である。
【図２３】第３実施形態に係る第１構成例を示す図である。
【図２４】第３実施形態に係る第１構成例の支持機構９００を示す図である。
【図２５】第３実施形態に係る第１構成例の支持機構９００を示す図である。
【図２６】第３実施形態に係る第１構成例の支持機構９００を示す図である。
【図２７】第３実施形態に係る第１構成例の支持機構９００を示す図である。
【図２８】第３実施形態に係る第１構成例の支持機構９００を示す図である。
【図２９】第３実施形態に係る第２構成例を示す図である。
【図３０】第３実施形態に係る第２構成例の支持機構９００を示す図である。
【図３１】第３実施形態に係る第２構成例の支持機構９００を示す図である。
【図３２】第３実施形態に係る第２構成例の支持機構９００を示す図である。
【図３３】第３実施形態に係る第２構成例の支持機構９００を示す図である。
【発明を実施するための形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る投写型映像表示装置は、光源と、光源から出射される光を変調する反射型光変調素子と、反射型光変調素子から出射される光を投写面上に投写する投写ユニットとを収容する筐体を備える。投写型映像表示装置は、投写面と略平行な第１配置面と第１配置面に対して略垂直な第２配置面とに沿って配置される。筐体は、第２配置面と対向する底面板と、底面板の反対側に設けられた天板とを有する。天板には、投写ユニットから出射された光を透過する透過領域と、透過領域よりも投写面側に配置された投写面側遮光板とが設けられる。投写面側遮光板は、透過領域を透過した光のうち、映像を構成する光以外の不要光を遮光するように構成される。
【００１８】
実施形態では、天板には、透過領域よりも投写面側に配置された投写面側遮光板が設けられる。投写面側遮光板は、透過領域を透過した光のうち、映像を構成する光以外の不要光を遮光するように構成される。すなわち、像面を構成する投写面の近傍において、投写面側遮光板が不要光を遮光する。従って、物面を構成する反射型光変調素子の近傍に設けられたアパーチャによって不要光を遮光するケースに比べて、反射型光変調素子で反射される不要光を十分に取り除くことができる。
【００１９】
［第１実施形態］
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。
【００２０】
図１及び図２に示すように、投写型映像表示装置１００は、筐体２００を有しており、投写面３００に映像を投写する。投写型映像表示装置１００は、第１配置面（図２に示す壁面４２０）と第１配置面に略垂直な第２配置面（図２に示す床面４１０）とに沿って配置される。
【００２１】
ここで、第１実施形態では、投写型映像表示装置１００が壁面に設けられた投写面３００に映像光を投写するケースについて例示する（壁面投写）。このようなケースにおける筐体２００の配置を壁面投写配置と称する。第１実施形態では、投写面３００と略平行な第１配置面は壁面４２０である。
【００２２】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００２３】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００２４】
具体的には、筐体２００は、投写面側側壁２１０と、前面側側壁２２０と、底面板２３０と、天板２４０と、第１側面側側壁２５０と、第２側面側側壁２６０とを有する。
【００２５】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、投写面３００と略平行な第１配置面以外の第２配置面（第１実施形態では、床面４１０）と対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００２６】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０及び投写面側遮光板８００を有する。第１側面側側壁２５０は、ケーブル端子１９０を有する。
【００２７】
光源ユニット１１０は、複数の固体光源（図４に示す固体光源１１１）によって構成されるユニットである。各固体光源は、ＬＤ（Ｌａｓｅｒ  Ｄｉｏｄｅ）などの光源である。第１実施形態では、光源ユニット１１０には、赤成分光Ｒを出射する赤固体光源（図４に示す赤固体光源１１１Ｒ）、緑成分光Ｇを出射する緑固体光源（図４に示す緑固体光源１１１Ｇ）、青成分光Ｂを出射する青固体光源（図４に示す青固体光源１１１Ｂ）を有する。光源ユニット１１０の詳細については後述する（図４を参照）。
【００２８】
電源ユニット１２０は、投写型映像表示装置１００に電力を供給するユニットである。例えば、電源ユニット１２０は、光源ユニット１１０及び冷却ユニット１３０に電力を供給する。
【００２９】
冷却ユニット１３０は、光源ユニット１１０に設けられた複数の固体光源を冷却するユニットである。具体的には、冷却ユニット１３０は、各固体光源を載置する冷却ジャケット（図４に示す冷却ジャケット１３１）を冷却することによって、各固体光源を冷却する。
【００３０】
なお、冷却ユニット１３０は、各固体光源以外にも、電源ユニット１２０や光変調素子（後述するＤＭＤ５００）を冷却するように構成されている。
【００３１】
色分離合成ユニット１４０は、赤固体光源から出射された赤成分光Ｒ、緑固体光源から出射された緑成分光Ｇ、青固体光源から出射された青成分光Ｂを合成する。また、色分離合成ユニット１４０は、赤成分光Ｒ、緑成分光Ｇ及び青成分光Ｂを含む合成光を分離して、赤成分光Ｒ、緑成分光Ｇ及び青成分光Ｂを変調する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図５を参照）
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図５に示す投写レンズ群１５１）と、投写レンズ群から出射された光を投写面３００側に反射する反射ミラー（図５に示す凹面ミラー１５２）とを有する。投写ユニット１５０の詳細については後述する。
【００３２】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００３３】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００３４】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図５に示す凹面ミラー１５２）が収容される。
【００３５】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過する透過領域１８５を有する。
【００３６】
投写面側遮光板８００は、天板２４０に設けられており、透過領域１８５よりも投写面３００側に設けられる。また、投写面側遮光板８００は、投写面３００に平行な水平方向（筐体２００の幅方向）に沿った形状を有する。
【００３７】
投写面側遮光板８００は、遮光部材（例えば、黒の板金やアクリル板）によって形成されており、透過領域１８５を透過した光のうち、映像を構成する光以外の不要光を遮光するように構成される。
【００３８】
ケーブル端子１９０は、第１側面側側壁２５０に設けられており、電源端子や映像端子などの端子である。なお、ケーブル端子１９０は、第２側面側側壁２６０に設けられていてもよい。
【００３９】
（筐体の幅方向における各ユニットの配置）
以下において、第１実施形態に係る幅方向における各ユニットの配置について、図面を参照しながら説明する。図３は、第１実施形態に係る投写型映像表示装置１００を上方から見た図である。
【００４０】
図３に示すように、投写ユニット１５０は、投写面３００に平行な水平方向（筐体２００の幅方向）において、筐体２００の略中央に配置される。
【００４１】
光源ユニット１１０及び冷却ユニット１３０は、筐体２００の幅方向において、投写ユニット１５０と並んで配置される。具体的には、光源ユニット１１０は、筐体２００の幅方向において、投写ユニット１５０の一方（第２側面側側壁２６０側）に並んで配置される。冷却ユニット１３０は、筐体２００の幅方向において、投写ユニット１５０の他方（第１側面側側壁２５０側）に並んで配置される。
【００４２】
電源ユニット１２０は、筐体２００の幅方向において、投写ユニット１５０と並んで配置される。具体的には、電源ユニット１２０は、筐体２００の幅方向において、投写ユニット１５０に対して光源ユニット１１０側に並んで配置される。電源ユニット１２０は、投写ユニット１５０と光源ユニット１１０との間に配置されることが好ましい。
【００４３】
（光源ユニットの構成）
以下において、第１実施形態に係る光源ユニットの構成について、図面を参照しながら説明する。図４は、第１実施形態に係る光源ユニット１１０を示す図である。
【００４４】
図４に示すように、光源ユニット１１０は、複数の赤固体光源１１１Ｒ、複数の緑固体光源１１１Ｇ及び複数の青固体光源１１１Ｂによって構成される。
【００４５】
赤固体光源１１１Ｒは、上述したように、赤成分光Ｒを出射するＬＤなどの赤固体光源である。赤固体光源１１１Ｒは、ヘッド１１２Ｒを有しており、ヘッド１１２Ｒには、光ファイバー１１３Ｒが接続される。
【００４６】
各赤固体光源１１１Ｒのヘッド１１２Ｒに接続された光ファイバー１１３Ｒは、バンドル部１１４Ｒで束ねられる。すなわち、各赤固体光源１１１Ｒから出射された光は、各光ファイバー１１３Ｒによって伝達されて、バンドル部１１４Ｒに集められる。
【００４７】
赤固体光源１１１Ｒは、冷却ジャケット１３１Ｒに載置される。例えば、赤固体光源１１１Ｒは、ネジ止めなどによって冷却ジャケット１３１Ｒに固定される。赤固体光源１１１Ｒは、冷却ジャケット１３１Ｒによって冷却される。
【００４８】
緑固体光源１１１Ｇは、上述したように、緑成分光Ｇを出射するＬＤなどの緑固体光源である。緑固体光源１１１Ｇは、ヘッド１１２Ｇを有しており、ヘッド１１２Ｇには、光ファイバー１１３Ｇが接続される。
【００４９】
各緑固体光源１１１Ｇのヘッド１１２Ｇに接続された光ファイバー１１３Ｇは、バンドル部１１４Ｇで束ねられる。すなわち、各緑固体光源１１１Ｇから出射された光は、各光ファイバー１１３Ｇによって伝達されて、バンドル部１１４Ｇに集められる。
【００５０】
緑固体光源１１１Ｇは、冷却ジャケット１３１Ｇに載置される。例えば、緑固体光源１１１Ｇは、ネジ止めなどによって冷却ジャケット１３１Ｇに固定される。緑固体光源１１１Ｇは、冷却ジャケット１３１Ｇによって冷却される。
【００５１】
青固体光源１１１Ｂは、上述したように、青成分光Ｂを出射するＬＤなどの青固体光源である。青固体光源１１１Ｂは、ヘッド１１２Ｂを有しており、ヘッド１１２Ｂには、光ファイバー１１３Ｂが接続される。
【００５２】
各青固体光源１１１Ｂのヘッド１１２Ｂに接続された光ファイバー１１３Ｂは、バンドル部１１４Ｂで束ねられる。すなわち、各青固体光源１１１Ｂから出射された光は、各光ファイバー１１３Ｂによって伝達されて、バンドル部１１４Ｂに集められる。
【００５３】
青固体光源１１１Ｂは、冷却ジャケット１３１Ｂに載置される。例えば、青固体光源１１１Ｂは、ネジ止めなどによって冷却ジャケット１３１Ｂに固定される。青固体光源１１１Ｂは、冷却ジャケット１３１Ｂによって冷却される。
【００５４】
（色分離合成ユニット及び投写ユニットの構成）
以下において、第１実施形態に係る色分離合成ユニット及び投写ユニットの構成について、図面を参照しながら説明する。図５は、第１実施形態に係る色分離合成ユニット１４０及び投写ユニット１５０を示す図である。第１実施形態では、ＤＭＤ（Ｄｉｇｉｔａｌ  Ｍｉｃｒｏｍｉｒｒｏｒ  Ｄｅｖｉｃｅ）に対応する投写型映像表示装置１００を例示する。
【００５５】
図５に示すように、色分離合成ユニット１４０は、第１ユニット１４１と、第２ユニット１４２とを有する。
【００５６】
第１ユニット１４１は、赤成分光Ｒ、緑成分光Ｇ及び青成分光Ｂを合成して、赤成分光Ｒ、緑成分光Ｇ及び青成分光Ｂを含む合成光を第２ユニット１４２に出射する。
【００５７】
具体的には、第１ユニット１４１は、複数のロッドインテグレータ（ロッドインテグレータ１０Ｒ、ロッドインテグレータ１０Ｇ及びロッドインテグレータ１０Ｂ）と、レンズ群（レンズ２１Ｒ、レンズ２１Ｇ、レンズ２１Ｂ、レンズ２２、レンズ２３）と、ミラー群（ミラー３１、ミラー３２、ミラー３３、ミラー３４及びミラー３５）とを有する。
【００５８】
ロッドインテグレータ１０Ｒは、光入射面と、光出射面と、光入射面の外周から光出射面の外周に亘って設けられる光反射側面とを有する。ロッドインテグレータ１０Ｒは、バンドル部１１４Ｒで束ねられた光ファイバー１１３Ｒから出射される赤成分光Ｒを均一化する。すなわち、ロッドインテグレータ１０Ｒは、光反射側面で赤成分光Ｒを反射することによって、赤成分光Ｒを均一化する。
【００５９】
ロッドインテグレータ１０Ｇは、光入射面と、光出射面と、光入射面の外周から光出射面の外周に亘って設けられる光反射側面とを有する。ロッドインテグレータ１０Ｇは、バンドル部１１４Ｇで束ねられた光ファイバー１１３Ｇから出射される緑成分光Ｇを均一化する。すなわち、ロッドインテグレータ１０Ｇは、光反射側面で緑成分光Ｇを反射することによって、緑成分光Ｇを均一化する。
【００６０】
ロッドインテグレータ１０Ｂは、光入射面と、光出射面と、光入射面の外周から光出射面の外周に亘って設けられる光反射側面とを有する。ロッドインテグレータ１０Ｂは、バンドル部１１４Ｂで束ねられた光ファイバー１１３Ｂから出射される青成分光Ｂを均一化する。すなわち、ロッドインテグレータ１０Ｂは、光反射側面で青成分光Ｂを反射することによって、青成分光Ｂを均一化する。
【００６１】
なお、ロッドインテグレータ１０Ｒ、ロッドインテグレータ１０Ｇ及びロッドインテグレータ１０Ｂは、光反射側面がミラー面によって構成された中空ロッドであってもよい。また、ロッドインテグレータ１０Ｒ、ロッドインテグレータ１０Ｇ及びロッドインテグレータ１０Ｂは、ガラスなどによって構成された中実ロッドであってもよい。
【００６２】
ここで、ロッドインテグレータ１０Ｒ、ロッドインテグレータ１０Ｇ及びロッドインテグレータ１０Ｂは、投写面３００に略平行な水平方向（筐体２００の幅方向）に沿って延びる柱状形状を有する。すなわち、ロッドインテグレータ１０Ｒは、ロッドインテグレータ１０Ｒの長手方向が筐体２００の略幅方向に沿うように配置される。同様に、ロッドインテグレータ１０Ｇ及びロッドインテグレータ１０Ｂは、ロッドインテグレータ１０Ｇ及びロッドインテグレータ１０Ｂの長手方向が筐体２００の略幅方向に沿うように配置される。
【００６３】
レンズ２１Ｒは、赤成分光ＲがＤＭＤ５００Ｒに照射されるように、赤成分光Ｒを略平行光化するレンズである。レンズ２１Ｇは、緑成分光ＧがＤＭＤ５００Ｇに照射されるように、緑成分光Ｇを略平行光化するレンズである。レンズ２１Ｂは、青成分光ＢがＤＭＤ５００Ｂに照射されるように、青成分光Ｂを略平行光化するレンズである。
【００６４】
レンズ２２は、赤成分光Ｒ及び緑成分光Ｇの拡大を抑制しながら、ＤＭＤ５００Ｒ及びＤＭＤ５００Ｇ上に赤成分光Ｒ及び緑成分光Ｇを略結像するためのレンズである。レンズ２３は、青成分光Ｂの拡大を抑制しながら、青成分光ＢをＤＭＤ５００Ｂに略結像するためのレンズである。
【００６５】
ミラー３１は、ロッドインテグレータ１０Ｒから出射された赤成分光Ｒを反射する。ミラー３２は、ロッドインテグレータ１０Ｇから出射された緑成分光Ｇを反射して、赤成分光Ｒを透過するダイクロイックミラーである。ミラー３３は、ロッドインテグレータ１０Ｂから出射された青成分光Ｂを透過して、赤成分光Ｒ及び緑成分光Ｇを反射するダイクロイックミラーである。
【００６６】
ミラー３４は、赤成分光Ｒ、緑成分光Ｇ及び青成分光Ｂを反射する。ミラー３５は、赤成分光Ｒ、緑成分光Ｇ及び青成分光Ｂを第２ユニット１４２側に反射する。なお、図５では、説明を簡易にするために、各構成が平面図で示されているが、ミラー３５は、赤成分光Ｒ、緑成分光Ｇ及び青成分光Ｂを高さ方向において斜めに反射する。
【００６７】
第２ユニット１４２は、赤成分光Ｒ、緑成分光Ｇ及び青成分光Ｂを含む合成光を分離して、赤成分光Ｒ、緑成分光Ｇ及び青成分光Ｂを変調する。第２ユニット１４２は、続いて、赤成分光Ｒ、緑成分光Ｇ及び青成分光Ｂを再合成して、映像光を投写ユニット１５０側に出射する。
【００６８】
具体的には、第２ユニット１４２は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００６９】
レンズ４０は、各色成分光が各ＤＭＤに照射されるように、第１ユニット１４１から出射された光を略平行光化するレンズである。
【００７０】
プリズム５０は、透光性部材によって構成されており、面５１及び面５２を有する。プリズム５０（面５１）とプリズム６０（面６１）との間にはエアギャップが設けられており、第１ユニット１４１から出射される光が面５１に入射する角度（入射角）が全反射角よりも大きいため、第１ユニット１４１から出射される光は面５１で反射される。一方で、プリズム５０（面５２）とプリズム７０（面７１）との間にはエアギャップが設けられるが、第１ユニット１４１から出射される光が面５２に入射する角度（入射角）が全反射角よりも小さいため、面５１で反射された光は面５２を透過する。
【００７１】
プリズム６０は、透光性部材によって構成されており、面６１を有する。
【００７２】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００７３】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００７４】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００７５】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００７６】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００７７】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００７８】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００７９】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００８０】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００８１】
投写ユニット１５０は、投写レンズ群１５１と、凹面ミラー１５２とを有する。
【００８２】
投写レンズ群１５１は、色分離合成ユニット１４０から出射された光（映像光）を凹面ミラー１５２側に出射する。
【００８３】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００８４】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００８５】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００８６】
（天板の構成）
以下において、第１実施形態に係る天板の構成について、図面を参照しながら説明する。図６〜図８は、第１実施形態に係る天板２４０を示す図である。
【００８７】
具体的には、図６は、投写型映像表示装置１００を天板２４０側から見た図である。図７は、投写型映像表示装置１００を図６のＣ方向から見た図である。図８は、投写型映像表示装置１００を図６のＤ方向から見た図である。
【００８８】
図６〜図８に示すように、天板２４０には、天板凹部１８０が設けられる。天板凹部１８０は、上述した傾斜面１８１に加えて、傾斜面１８２と、傾斜面１８３と、傾斜面１８４とを有する。
【００８９】
傾斜面１８１は、天板凹部１８０の前面側に設けられており、投写面側に向けて下る形状を有する。傾斜面１８１は、上述したように、投写ユニット１５０から出射された光を投写面３００側に透過する透過領域１８５が設けられる。
【００９０】
傾斜面１８２は、天板凹部１８０の投写面側に設けられており、前面側に向けて下る形状を有する。
【００９１】
傾斜面１８３及び傾斜面１８４は、筐体２００の幅方向において、天板凹部１８０の両側に設けられた側面である。傾斜面１８３及び傾斜面１８４は、天板凹部１８０の中央に向けて下る形状を有する。
【００９２】
投写面側遮光板８００は、透過領域１８５よりも投写面３００側に設けられる。具体的には、投写面側遮光板８００は、傾斜面１８２上に湾曲状に張り出す形状を有する。遮光部材によって形成されており、透過領域１８５を透過した光のうち、映像を構成する光以外の不要光を遮光するように構成される。
【００９３】
（投写面側遮光板の構成）
以下において、第１実施形態に係る投写面側遮光板の構成について、図面を参照しながら説明する。図９は、第１実施形態に係る投写面側遮光板８００を示す図である。
【００９４】
図９に示すように、投写面側遮光板８００は、湾曲部分８１０を有する。なお、投写面側遮光板８００は、上述したように、湾曲部分８１０が傾斜面１８２上に張り出すように配置される。投写面側遮光板８００の全体が遮光部材８２０によって形成される。遮光部材８２０は、例えば、黒の板金やアクリル板である。
【００９５】
（不要光の遮光）
以下において、第１実施形態に係る不要光の遮光について、図面を参照しながら説明する。図１０は、第１実施形態に係る凹面ミラー１５２の近傍における映像光７００の光束のパターンを示す図である。図１１〜図１２は、第１実施形態に係る投写面３００における映像光７００の光束のパターンを示す図である。
【００９６】
なお、凹面ミラー１５２と投写面３００とは対向するため、投写面３００における映像光７００の光束のパターン（図１１及び図１２を参照）の左右に対して、凹面ミラー１５２の近傍における映像光７００の光束のパターン（図１０を参照）の左右が反転することに留意すべきである。
【００９７】
第１に、凹面ミラー１５２の近傍における映像光７００の光束のパターンについて、図１０を参照しながら説明する。実施形態に係る投写型映像表示装置１００では、凹面ミラー１５２として非球面ミラーが用いられる。従って、図１０に示すように、凹面ミラー１５２の近傍においては、映像を構成する映像光７００は、歪んだパターンを形成する。
【００９８】
ここで、映像光７００の下端は、上側に湾曲している。映像光７００の下端には、不要光７１０が隣接する。映像光７００の側端は、内側に湾曲しており、上側に広がっている。映像光７００の側端には、不要光７２０及び不要光７３０が隣接する。映像光７００の上端は、上側に湾曲している。映像光７００の上端には、不要光７４０が隣接する。
【００９９】
ここで、実施形態に係る投写型映像表示装置１００では、凹面ミラー１５２と投写面３００との距離を短縮するために、ＤＭＤ５００の中心が投写レンズ群１５１の光軸中心から上側にシフトするように、ＤＭＤ５００が配置される。また、光の強度については、投写レンズ群１５１の周辺部分を通る光よりも、投写レンズ群１５１の光軸中心の近傍を通る光の方が大きくなることが知られている。
【０１００】
従って、凹面ミラー１５２の近傍における映像光７００の光束のパターンでは、パターンの上側の光の強度に比べて、パターンの下側の光の強度が大きいことに留意すべきである。すなわち、不要光７４０の強度に比べて、不要光７１０の強度が大きい。
【０１０１】
第２に、投写面３００における映像光７００の光束のパターンについて、図１１を参照しながら説明する。図１１は、投写面側遮光板８００が設けられていないケースを示すことに留意すべきである。
【０１０２】
図１１に示すように、投写面３００においては、映像光７００は矩形形状を有する。映像光７００の周囲には、不要光７１０、不要光７２０、不要光７３０及び不要光７４０が存在する。ここで、不要光は、映像光７００の下側から順に、強度ａ、強度ｂ、強度ｃ、強度ｄの光を含む。ここでは、強度ａ＞強度ｂ＞強度ｃ＞強度ｄの関係が満たされている。すなわち、不要光の強度は、映像光７００の下側から映像光７００の上側に向けて徐々に小さくなっている。なお、不要光７１０は、最も大きな強度ａを有する領域を含む。
【０１０３】
第３に、投写面３００において、投写型映像表示装置１００から投写された光が形成するパターンについて、図１２を参照しながら説明する。なお、図１２は、投写面側遮光板８００が設けられているケースを示すことに留意すべきである。
【０１０４】
図１２に示すように、映像光７００の下端に隣接する不要光７１０が遮光される。ここで、投写面側遮光板８００は投写面３００の近傍に設けられるため、投写面側遮光板８００による不要光７１０の遮光によって、不要光７１０が十分に取り除かれる。換言すると、最も大きな強度ａを有する光が取り除かれている。
【０１０５】
（作用及び効果）
第１実施形態では、天板２４０には、透過領域１８５よりも投写面３００側に配置された投写面側遮光板８００が設けられる。投写面側遮光板８００は、透過領域１８５を透過した光のうち、映像を構成する光以外の不要光（不要光７１０）を遮光するように構成される。
【０１０６】
ここで、投写レンズ群１５１の物面に配置された反射型光変調素子（ＤＭＤ５００）に比べて、像面を構成する投写面３００が非常に大きい。また、照射光が斜めに入射する反射型光変調素子（ＤＭＤ５００）の近傍に設けられたアパーチャでは、反射型光変調素子よりも大きな面積の開口が必要となる。従って、投写面側遮光板８００が投写面３００から多少離れていても、反射型光変調素子の近傍に設けられたアパーチャによって不要光を遮光するケースに比べて、反射型光変調素子で反射される不要光を十分に取り除くことができる。
【０１０７】
なお、投写面３００における映像光７００の下端に隣接する不要光７１０は、投写レンズ群１５１の光軸中心の近傍を通る光であるため、不要光７１０の強度は、他の不要光に比べて大きい。従って、不要光７１０を取り除くことが効果的であることに留意すべきである。また、映像光７００の上端に隣接する不要光７４０は、投写レンズ群１５１の周辺部分を通る光であるため、不要光７４０の強度は、他の不要光に比べて小さい。従って、不要光７４０を取り除く必要性が低いことに留意すべきである。
【０１０８】
［変更例１］
以下において、第１実施形態の変更例１について、図面を参照しながら説明する。以下においては、第１実施形態との相違点について主として説明する。
【０１０９】
具体的には、第１実施形態では、投写面側遮光板８００の全体が遮光部材８２０によって形成される。これに対して、変更例１では、投写面側遮光板８００には、投写面３００に平行な水平方向（筐体２００の幅方向）において、所定透過率を有する領域が設けられている。
【０１１０】
（投写面側遮光板の構成）
以下において、変更例１に係る投写面側遮光板の構成について、図面を参照しながら説明する。図１３〜図１５は、変更例１に係る投写面側遮光板８００を示す図である。
【０１１１】
図１３に示すように、投写面側遮光板８００は、遮光部材８２０及び減光フィルタ８３０によって形成されていてもよい。減光フィルタ８３０は、投写面３００に平行な水平方向（筐体２００の幅方向）において、投写面側遮光板８００の両側に設けられる。減光フィルタ８３０は、透過光を減光する部材であり、所定透過率を有する領域を構成する。減光フィルタ８３０の透過率は、投写面側遮光板８００の両端に向けて徐々に高くなっている。すなわち、透過率ａ＞透過率ｂ＞透過率ｃの関係が満たされている。
【０１１２】
図１４に示すように、投写面側遮光板８００は、遮光部材８２０及び拡散板８４０によって形成されていてもよい。拡散板８４０は、投写面３００に平行な水平方向（筐体２００の幅方向）において、投写面側遮光板８００の両側に設けられる。拡散板８４０は、光を拡散する部材であり、所定透過率を有する領域を構成する。拡散板８４０の拡散率は、投写面側遮光板８００の両端に向けて徐々に低くなっている。すなわち、拡散率ａ＜拡散率ｂ＜拡散率ｃの関係が満たされている。
【０１１３】
図１５に示すように、投写面側遮光板８００は、遮光部材８２０によって形成されており、小さな孔８５０を有していてもよい。小さな孔８５０は、投写面３００に平行な水平方向（筐体２００の幅方向）において、投写面側遮光板８００の両側に設けられる。小さな孔８５０は、光を透過するように構成された空隙であり、小さな孔８５０が設けられた領域は、所定透過率を有する領域を構成する。小さな孔８５０の数は、投写面側遮光板８００の両端に向けて多くなっている。
【０１１４】
（不要光の遮光）
以下において、変更例１に係る不要光の遮光について、図面を参照しながら説明する。図１６は、変更例１に係る投写面３００における映像光７００の光束のパターンを示す図である。図１６は、図１３〜図１５に示す投写面側遮光板８００が設けられるケースを示すことに留意すべきである。
【０１１５】
図１６に示すように、図１３〜図１５に示す投写面側遮光板８００が設けられるケースでは、映像光７００の下端に隣接する不要光７１０が遮光される。ここで、投写面３００に平行な水平方向（筐体２００の幅方向）において、図１３〜図１５に示す投写面側遮光板８００の両側には、所定透過率を有する領域が設けられるため、不要光７２０及び不要光７３０の下端において、不要光７１０の一部が残る境界部分７１０Ａ及び境界部分７１０Ｂが存在する。従って、不要光７２０及び不要光７３０の下端において、明暗の境界が目立たない。
【０１１６】
（作用及び効果）
変更例１では、投写面３００に平行な水平方向（筐体２００の幅方向）において、投写面側遮光板８００の両側には、所定透過率を有する領域が設けられる。従って、不要光７２０及び不要光７３０の下端において、明暗の境界が目立たなくすることができる。
【０１１７】
［変更例２］
以下において、第１実施形態の変更例２について、図面を参照しながら説明する。以下においては、第１実施形態との相違点について主として説明する。
【０１１８】
具体的には、変更例２では、天板２４０には、略水平な底面を有する拡大凹部が設けられる。拡大凹部の底面には、天板凹部１８０が設けられる。
【０１１９】
（天板の構成）
以下において、変更例２に係る天板の構成について、図面を参照しながら説明する。図１７〜図１９は、変更例２に係る天板２４０を示す図である。
【０１２０】
具体的には、図１７は、投写型映像表示装置１００を天板２４０側から見た図である。図１８は、投写型映像表示装置１００を図１７のＣ方向から見た図である。図１９は、投写型映像表示装置１００を図１７のＤ方向から見た図である。
【０１２１】
図１７〜図１９に示すように、天板２４０には、略水平な底面６０１を有する拡大凹部６００が設けられる。拡大凹部６００の底面６０１には、上述した天板凹部１８０が設けられる。拡大凹部６００の周囲を構成する側面は、略直角の傾斜を有することが好ましい。
【０１２２】
なお、天板凹部１８０の構成は、第１実施形態と同様であるため、天板凹部１８０の説明については省略する。
【０１２３】
ここで、投写面側遮光板８００は、拡大凹部６００の底面６０１に設けられる。また、投写面側遮光板８００は、第１実施形態と同様に、傾斜面１８２上に湾曲状に張り出す形状を有する。
【０１２４】
［変更例３］
以下において、第１実施形態の変更例３について、図面を参照しながら説明する。以下においては、第１実施形態との相違点について主として説明する。
【０１２５】
具体的には、変更例３では、天板２４０には、投写面側遮光板８００に加えて、投写面３００に平行な水平方向において透過領域１８５に隣接して配置されたサイド遮光板が設けられる。
【０１２６】
（投写型映像表示装置の構成）
以下において、変更例３に係る投写型映像表示装置の構成について、図面を参照しながら説明する。図２０は、変更例３に係る投写型映像表示装置１００を示す斜視図である。
【０１２７】
図２０に示すように、天板２４０は、投写面側遮光板８００に加えて、サイド遮光板８０１Ａ及びサイド遮光板８０１Ｂを有する。
【０１２８】
サイド遮光板８０１Ａ及びサイド遮光板８０１Ｂは、投写面３００に平行な水平方向（筐体２００の幅方向）において透過領域１８５（図２０では不図示）に隣接して配置される。サイド遮光板８０１Ａ及びサイド遮光板８０１Ｂは、投写面３００の法線方向（筐体２００の奥行き方向）に沿った形状を有する。
【０１２９】
サイド遮光板８０１Ａ及びサイド遮光板８０１Ｂは、遮光部材（例えば、黒の板金やアクリル板）によって形成されており、透過領域１８５を透過した光のうち、映像を構成する光以外の不要光（上述した不要光７２０及び不要光７３０）を遮光するように構成される。
【０１３０】
なお、サイド遮光板８０１Ａ及びサイド遮光板８０１Ｂは、不要光７２０及び不要光７３０を遮光するために、天板凹部１８０の内側に張り出す湾曲形状を有する。
【０１３１】
（作用及び効果）
変更例３では、天板２４０には、投写面３００に平行な水平方向（筐体２００の幅方向）において透過領域１８５に隣接して配置されるサイド遮光板８０１Ａ及びサイド遮光板８０１Ｂが設けられる。サイド遮光板８０１Ａ及びサイド遮光板８０１Ｂは、透過領域１８５を透過した光のうち、映像を構成する光以外の不要光（不要光７２０及び不要光７３０）を遮光するように構成される。すなわち、像面を構成する投写面３００の近傍において、サイド遮光板８０１Ａ及びサイド遮光板８０１Ｂが不要光を遮光する。従って、物面を構成する反射型光変調素子の近傍に設けられたアパーチャによって不要光を遮光するケースに比べて、反射型光変調素子で反射される不要光を十分に取り除くことができる。
【０１３２】
［変更例４］
以下において、第１実施形態の変更例４について、図面を参照しながら説明する。以下においては、第１実施形態及び変更例３との相違点について主として説明する。
【０１３３】
具体的には、第１実施形態及び変更例３では、投写面側遮光板８００、サイド遮光板８０１Ａ及びサイド遮光板８０１Ｂは、天板凹部１８０の内側に張り出すように配置される。これに対して、変更例４では、投写面側遮光板８００、サイド遮光板８０１Ａ及びサイド遮光板８０１Ｂは、天板２４０から立ち上がるように配置される。
【０１３４】
（投写型映像表示装置の構成）
以下において、変更例４に係る投写型映像表示装置の構成について、図面を参照しながら説明する。図２１は、変更例４に係る投写型映像表示装置１００を示す斜視図である。
【０１３５】
図２１に示すように、天板２４０は、変更例３と同様に、投写面側遮光板８００に加えて、サイド遮光板８０１Ａ及びサイド遮光板８０１Ｂを有する。
【０１３６】
サイド遮光板８０１Ａ及びサイド遮光板８０１Ｂは、投写面３００に平行な水平方向（筐体２００の幅方向）において透過領域１８５（図２１では不図示）に隣接して配置される。サイド遮光板８０１Ａ及びサイド遮光板８０１Ｂは、投写面３００の法線方向（筐体２００の奥行き方向）に沿った形状を有する。
【０１３７】
サイド遮光板８０１Ａ及びサイド遮光板８０１Ｂは、遮光部材（例えば、黒の板金やアクリル板）によって形成されており、透過領域１８５を透過した光のうち、映像を構成する光以外の不要光（上述した不要光７２０及び不要光７３０）を遮光するように構成される。
【０１３８】
変更例４では、サイド遮光板８０１Ａ及びサイド遮光板８０１Ｂは、天板２４０から立ち上がるように配置される。また、サイド遮光板８０１Ａ及びサイド遮光板８０１Ｂは、不要光７２０及び不要光７３０を遮光するために、天板凹部１８０の上方に張り出す湾曲形状を有する。
【０１３９】
［第２実施形態］
以下において、第２実施形態について、図面を参照しながら説明する。以下においては、第１実施形態との相違点について主として説明する。
【０１４０】
具体的には、第１実施形態では、投写型映像表示装置１００が壁面に設けられた投写面３００に映像光を投写するケースについて例示した。これに対して、第２実施形態では、投写型映像表示装置１００が床面に設けられた投写面３００に映像光を投写するケースについて例示する（床面投写）。このようなケースにおける筐体２００の配置を床面投写配置と称する。
【０１４１】
（投写型映像表示装置の構成）
以下において、第２実施形態に係る投写型映像表示装置の構成について、図面を参照しながら説明する。図２２は、第２実施形態に係る投写型映像表示装置１００を側方から見た図である。
【０１４２】
図２２に示すように、投写型映像表示装置１００は、床面に設けられた投写面３００に映像光を投写する（床面投写）。第２実施形態では、投写面３００と略平行な第１配置面は床面４１０である。第１配置面に略垂直な第２配置面は壁面４２０である。
【０１４３】
第２実施形態では、投写面３００に平行な水平方向を“幅方向”と称する。投写面３００の法線方向を“高さ方向”と称する。幅方向及び高さ方向の双方に直交する方向を“奥行き方向”と称する。
【０１４４】
第２実施形態では、筐体２００は、第１実施形態と同様に、略直方体形状を有する。奥行き方向における筐体２００のサイズ及び高さ方向における筐体２００のサイズは、幅方向における筐体２００のサイズよりも小さい。高さ方向における筐体２００のサイズは、反射ミラー（図２に示す凹面ミラー１５２）から投写面３００までの投写距離と略等しい。幅方向において、筐体２００のサイズは、投写面３００のサイズと略等しい。奥行き方向において、筐体２００のサイズは、壁面４２０から投写面３００までの距離に応じて定められる。
【０１４５】
投写面側側壁２１０は、投写面３００と略平行な第１配置面（第２実施形態では、床面４１０）と対向する板状の部材である。前面側側壁２２０は、投写面側側壁２１０の反対側に設けられた板状の部材である。天板２４０は、底面板２３０の反対側に設けられた板状の部材である。底面板２３０は、投写面３００と略平行な第１配置面以外の第２配置面（第２実施形態では、壁面４２０）と対向する板状の部材である。第１側面側側壁２５０及び第２側面側側壁２６０は、幅方向において筐体２００の両端を形成する板状の部材である。
【０１４６】
［第３実施形態］
以下において、第３実施形態について、図面を参照しながら説明する。以下においては、第１実施形態との相違点について主として説明する。具体的には、第３実施形態では、投写面側遮光板８００の位置や角度が調整可能である。
【０１４７】
例えば、投写面側遮光板８００の位置や角度は、以下のように調整可能である。（１）投写面側遮光板８００の位置は、投写面３００の法線方向（奥行き方向）に沿って調整可能である。（２）投写面側遮光板８００の角度は、投写面３００に平行な水平方向（幅方向）に沿って延びる軸を中心として調整可能である。（３）投写面側遮光板８００の位置は、投写面３００に平行な水平方向（幅方向）及び投写面３００の法線方向（奥行き方向）に直交する方向（高さ方向）に沿って調整可能である。
【０１４８】
なお、（１）〜（３）のうち、いずれかの位置又は角度が調整されてもよく、２つ以上の位置又は角度が調整されてもよい。
【０１４９】
（第１構成例）
以下において、投写面側遮光板８００の位置及び角度を調整する第１構成例について、図面を参照しながら説明する。図２３は、投写面側遮光板８００の位置及び角度を調整する第１構成例を示す図である。なお、図２３は、投写面側遮光板８００の周辺部分の拡大図である。
【０１５０】
図２３に示すように、投写型映像表示装置１００は、投写面側遮光板８００を支持する支持機構９００を有する。
【０１５１】
支持機構９００は、投写面３００の法線方向（奥行き方向）に沿って投写面側遮光板８００を移動可能に支持する。また、支持機構９００は、投写面３００に平行な水平方向（幅方向）に沿って延びる軸を中心として投写面側遮光板８００を回動可能に支持する。
【０１５２】
支持機構９００は、筐体２００の天板２４０に設けられる。例えば、支持機構９００は、天板２４０の天板凹部１８０内に設けられる。
【０１５３】
ここで、支持機構９００の第１構成例の詳細について、図２４〜図２７を参照しながら説明する。図２４は、支持機構９００を示す斜視図である。図２５は、支持機構９００の正面から支持機構９００を見た図である。図２６は、支持機構９００の上方から支持機構９００を見た図である。図２７は、支持機構９００の側方から支持機構９００を見た図である。
【０１５４】
図２４〜図２７に示すように、支持機構９００は、支持体９１０と、レール９２０と、第１カム機構９３０と、送りネジ９４０と、回動軸９５０と、第２カム機構９６０とを有する。
【０１５５】
支持体９１０は、投写面３００に平行な水平方向（幅方向）に沿った形状を有する。また、幅方向において、支持体９１０の両端部は、レール９２０に嵌め込まれる。
【０１５６】
幅方向において、支持体９１０の両端部には、支持体９１０Ａ及び支持体９１０Ｂが設けられる。支持体９１０Ａ及び支持体９１０Ｂは、投写面３００に平行な水平方向（幅方向）に沿って延びる回動軸９５０を回動可能に支持する。後述するように、投写面側遮光板８００が回動軸９５０に固定されているため、支持体９１０Ａ及び支持体９１０Ｂは、回動軸９５０を中心として投写面側遮光板８００を支持することに留意すべきである。
【０１５７】
幅方向において、支持体９１０の一端部（支持体９１０Ｂが設けられる端部）には、送りネジ９４０を受け入れるネジ孔を有する。ネジ孔は、送りネジ９４０に設けられた螺旋状の凸部と噛み合う螺旋状の凹部を有する。
【０１５８】
レール９２０は、支持体９１０の両端部をスライド可能に支持する溝を有する。レール９２０に設けられた溝は、投写面３００の法線方向（奥行き方向）に沿って延びる。
【０１５９】
第１カム機構９３０は、レール９２０に固定される。第１カム機構９３０は、送りネジ９４０と連結されいる。なお、第１カム機構９３０は、投写ユニット１５０のフォーカス調整機構（不図示）やズーム調整機構（不図示）と連結されており、投写ユニット１５０のフォーカス調整やズーム調整と連動して、送りネジ９４０を回動する機構である。
【０１６０】
送りネジ９４０は、螺旋状の凸部を有する。送りネジ９４０は、支持体９１０の一端部に設けられたネジ孔にねじ込まれる。一方で、送りネジ９４０は、第１カム機構９３０と連結されている。
【０１６１】
ここで、上述した支持体９１０は、送りネジ９４０の回動量に応じて、レール９２０、すなわち、投写面３００の法線方向（奥行き方向）に沿って移動する。すなわち、支持体９１０によって支持される投写面側遮光板８００は、送りネジ９４０の回動量に応じて、投写面３００の法線方向（奥行き方向）に沿って移動する。
【０１６２】
回動軸９５０は、投写面３００に平行な水平方向（幅方向）に沿って延びる形状を有する。回動軸９５０は、投写面側遮光板８００に固定されており、支持体９１０Ａ及び支持体９１０Ｂによって回動可能に支持される。
【０１６３】
第２カム機構９６０は、支持体９１０の一端部（支持体９１０Ｂが設けられる端部）に設けられる。詳細には、第２カム機構９６０は、図２８に示すように、複数のカムによって構成される。複数のカムは、送りネジ９４０に設けられた螺旋状の凸部に噛み合うように構成されたカムを含む。また、複数のカムは、回動軸９５０を回動中心として有するカムを含む。従って、回動軸９５０に固定される投写面側遮光板８００は、送りネジ９４０の回動に伴って、回動軸９５０を回動中心として回動する。
【０１６４】
このように、投写面３００の法線方向（奥行き方向）における投写面側遮光板８００の移動と連動して、投写面側遮光板８００が回動軸９５０を回動中心として回動する。
【０１６５】
なお、第２カム機構９６０は、映像を構成する光以外の不要光（不要光７１０）を投写面側遮光板８００が遮光するように、投写面側遮光板８００の移動量及び回動量を調整するように構成される。
【０１６６】
具体的には、投写ユニット１５０のフォーカス調整やズーム調整と連動して、第１カム機構９３０が送りネジ９４０を回動することによって、奥行き方向における投写面側遮光板８００の位置、回動軸９５０を回動中心とする投写面側遮光板８００の回動角が調整される。
【０１６７】
（第２構成例）
以下において、投写面側遮光板８００の位置を調整する第２構成例について、図面を参照しながら説明する。図２９は、投写面側遮光板８００の位置を調整する第２構成例を示す図である。なお、図２９は、投写面側遮光板８００の周辺部分の拡大図である。
【０１６８】
図２９に示すように、投写型映像表示装置１００は、投写面側遮光板８００を支持する支持機構９００を有する。
【０１６９】
支持機構９００は、投写面３００の法線方向（奥行き方向）に沿って投写面側遮光板８００を移動可能に支持する。また、支持機構９００は、投写面３００に平行な水平方向（幅方向）及び投写面３００の法線方向（奥行き方向）に直交する方向（高さ方向）に沿って投写面側遮光板８００を移動可能に支持する。
【０１７０】
支持機構９００は、第１構成例と同様に、筐体２００の天板２４０に設けられる。例えば、支持機構９００は、天板２４０の天板凹部１８０内に設けられる。
【０１７１】
ここで、支持機構９００の第２構成例の詳細について、図３０〜図３２を参照しながら説明する。図３０は、支持機構９００を示す斜視図である。図３１は、支持機構９００の正面から支持機構９００を見た図である。図３２は、支持機構９００の上方から支持機構９００を見た図である。
【０１７２】
図３０〜図３２に示すように、支持機構９００は、支持体９１０と、レール９２０と、第１カム機構９３０と、送りネジ９４０と、ステージ９７０とを有する。なお、支持体９１０、レール９２０、第１カム機構９３０及び送りネジ９４０の構成は、第１構成例と同様であるため、これらの構成の説明については省略する。
【０１７３】
ステージ９７０は、投写面３００に平行な水平方向（幅方向）において、支持体９１０の略中央部分に設けられる。また、ステージ９７０は、投写面３００に平行な水平方向（幅方向）及び投写面３００の法線方向（奥行き方向）に直交する方向（高さ方向）に沿って投写面側遮光板８００を移動するように構成される。
【０１７４】
ここで、ステージ９７０の詳細について、図３３を参照しながら説明する。図３３は、図３１に示すＡ−Ａ断面を示す図である。
【０１７５】
図３３に示すように、ステージ９７０は、第１ステージ９７１及び第２ステージ９７２を有する。第１ステージ９７１は、投写面３００に垂直な面Ｐに対して傾きを有する傾斜面９７１Ａを有する。同様に、第２ステージ９７２は、投写面３００に垂直な面Ｐに対して傾きを有する傾斜面９７２Ａを有する。なお、傾斜面９７１Ａ及び傾斜面９７２Ａは対向しており、第１ステージ９７１は、傾斜面９７１Ａ及び傾斜面９７２Ａの境界面に沿ってスライド可能に構成されている。
【０１７６】
ここで、第１ステージ９７１は、支持体９１０に固定されており、支持体９１０とともに、投写面３００の法線方向（奥行き方向）に沿って移動する。一方で、第２ステージ９７２は、筐体２００などに固定されており、投写面３００の法線方向（奥行き方向）に沿って移動しない。また、第２ステージ９７２は、投写面側遮光板８００を支持する。
【０１７７】
このように、投写面３００の法線方向（奥行き方向）に沿って第１ステージ９７１が移動することによって、第１ステージ９７１が傾斜面９７１Ａ及び傾斜面９７２Ａの境界面に沿ってスライドする。従って、投写面３００に平行な水平方向（幅方向）及び投写面３００の法線方向（奥行き方向）に直交する方向（高さ方向）において、第２ステージ９７２が移動し、第２ステージ９７２によって支持される投写面側遮光板８００も移動する。
【０１７８】
なお、第２構成例では、投写面側遮光板８００は、長方形の板状形状を有する。また、投写面側遮光板８００は、投写面３００に平行な水平方向（幅方向）において、投写面側遮光板８００の中央部分が上方に湾曲する形状を有する。これによって、投写面側遮光板８００が傾斜面１８２上に湾曲状に張り出す形状を有していなくても、第１実施形態と同様に、映像光７００の下端に隣接する不要光７１０が投写面側遮光板８００によって遮光される。
【０１７９】
（作用及び効果）
第３実施形態の第１構成例では、支持機構９００は、投写面３００の法線方向（奥行き方向）に沿って投写面側遮光板８００を移動可能に支持しており、投写面３００に平行な水平方向（幅方向）に沿って延びる回動軸９５０を中心として、投写面側遮光板８００を回動可能に支持する。
【０１８０】
第３実施形態の第２構成例では、支持機構９００は、投写面３００の法線方向（奥行き方向）に沿って投写面側遮光板８００を移動可能に支持しており、投写面３００に平行な水平方向（幅方向）及び投写面３００の法線方向（奥行き方向）に直交する方向（高さ方向）に沿って投写面側遮光板８００を移動可能に支持する。
【０１８１】
従って、投写ユニット１５０のフォーカス調整やズーム調整などに伴って、投写面側遮光板８００によって遮光すべき不要光７１０の光路が変わるケースであっても、映像光７００の下端に隣接する不要光７１０を適切に遮光することができる。
【０１８２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１８３】
第１実施形態では、筐体２００が配置される壁面４２０上に投写面３００が設けられるが、実施形態はこれに限定されるものではない。投写面３００は、筐体２００から離れる方向において、壁面４２０よりも奥まった位置に設けられてもよい。
【０１８４】
第２実施形態では、筐体２００が配置される床面４１０上に投写面３００が設けられるが、実施形態はこれに限定されるものではない。投写面３００は、床面４１０よりも低い位置に設けられてもよい。
【０１８５】
実施形態では、反射型光変調素子として、ＤＭＤ（Ｄｉｇｉｔａｌ  Ｍｉｃｒｏｍｉｒｒｏｒ  Ｄｅｖｉｃｅ）を例示したに過ぎない。反射型光変調素子は、反射型の液晶パネルであってもよい。
【０１８６】
実施形態では、光源としてＬＤ（Ｌａｓｅｒ  Ｄｉｏｄｅ）を例示したが、光源は、これに限定されるものではない。光源は、例えば、ＬＥＤ（Ｌｉｇｈｔ  Ｅｍｉｔｔｉｎｇ  Ｄｉｏｄｅ）、ＵＨＰランプ、キセノンランプなどであってもよい。
【０１８７】
実施形態では、光源の冷却方法として、液冷を例示したが、光源の冷却方法は、これに限定されるものではない。光源の冷却方法は、例えば、空冷であってもよい。
【０１８８】
実施形態では、ＬＤから出射される光が光ファイバーを介してバンドル部で纏められており、光を均一化する手段としてロッドインテグレータが用いられる。しかしながら、実施形態は、これに限定されるものではない。例えば、光を均一化する手段としてフライアイレンズが用いられる場合には、光ファイバーやバンドル部が設けられていなくてもよい。
【０１８９】
実施形態では特に触れていないが、投写面側遮光板８００、サイド遮光板８０１Ａ及びサイド遮光板８０１Ｂは、投写面側遮光板８００、サイド遮光板８０１Ａ及びサイド遮光板８０１Ｂの配置を調整可能に構成可能に構成されていてもよい。具体的には、投写面側遮光板８００は、投写面３００の法線方向（例えば、奥行き方向）に移動可能に構成されていてもよい。また、サイド遮光板８０１Ａ及びサイド遮光板８０１Ｂは、投写面３００に略平行な水平方向（筐体２００の幅方向）に移動可能に構成されていてもよい。
【０１９０】
第３実施形態では、投写ユニット１５０のフォーカス調整やズーム調整と連動して、投写面側遮光板８００の位置又は角度が制御される。しかしながら、実施形態はこれに限定されるものではない。投写面側遮光板８００の位置又は角度は、手動で調整されてもよい。
【０１９１】
第３実施形態の第１構成例では、投写面側遮光板８００の位置及び角度が連動して調整されるが、実施形態はこれに限定されるものではない。投写面側遮光板８００の位置及び角度は、独立して調整されてもよい。
【０１９２】
第３実施形態の第２構成例では、奥行き方向及び高さ方向における投写面側遮光板８００の位置が連動して調整されるが、実施形態はこれに限定されるものではない。奥行き方向及び高さ方向における投写面側遮光板８００の位置は、独立して調整されてもよい。
【符号の説明】
【０１９３】
１０…ロッドインテグレータ、２１〜２３…レンズ、３１〜３５…ミラー、４０…レンズ、５０…プリズム、６０…プリズム、７０…プリズム、８０…プリズム、９０…プリズム、１００…投写型映像表示装置、１１０…光源ユニット、１１１…固体光源、１１２…ヘッド、１１３…光ファイバー、１１４…バンドル部、１２０…電源ユニット、１３０…冷却ユニット、１３１…冷却ジャケット、１４０…色分離合成ユニット、１４１…第１ユニット、１４２…第２ユニット、１５０…投写ユニット、１５１…投写レンズ群、１５２…凹面ミラー、１６０…投写面側凹部、１７０…前面側凸部、１８０…天板凹部、１８１〜１８４…傾斜面、１８５…透過領域、１９０…ケーブル端子、２００…筐体、２１０…投写面側側壁、２２０…前面側側壁、２３０…底面板、２４０…天板、２５０…第１側面側側壁、２６０…第２側面側側壁、３００…投写面、４１０…床面、４２０…壁面、５００…ＤＭＤ、６００…拡大凹部、６０１…底面、７００…映像光、７１０〜７４０…不要光、８００…投写面側遮光板、８０１Ａ、８０２Ｂ…サイド遮光板、８１０…湾曲部、８２０…遮光部材、８３０…減光フィルタ、８４０…拡散板、８５０…小さな孔、９００…支持機構、９１０…支持体、９２０…レール、９３０…第１カム機構、９４０…送りネジ、９５０…回動軸、９６０…第２カム機構、９７０…ステージ
【図１】
2010266838.tif 000003
【図２】
2010266838.tif 000004
【図３】
2010266838.tif 000005
【図４】
2010266838.tif 000006
【図５】
2010266838.tif 000007
【図６】
2010266838.tif 000008
【図７】
2010266838.tif 000009
【図８】
2010266838.tif 000010
【図９】
2010266838.tif 000011
【図１０】
2010266838.tif 000012
【図１１】
2010266838.tif 000013
【図１２】
2010266838.tif 000014
【図１３】
2010266838.tif 000015
【図１４】
2010266838.tif 000016
【図１５】
2010266838.tif 000017
【図１６】
2010266838.tif 000018
【図１７】
2010266838.tif 000019
【図１８】
2010266838.tif 000020
【図１９】
2010266838.tif 000021
【図２０】
2010266838.tif 000022
【図２１】
2010266838.tif 000023
【図２２】
2010266838.tif 000024
【図２３】
2010266838.tif 000025
【図２４】
2010266838.tif 000026
【図２５】
2010266838.tif 000027
【図２６】
2010266838.tif 000028
【図２７】
2010266838.tif 000029
【図２８】
2010266838.tif 000030
【図２９】
2010266838.tif 000031
【図３０】
2010266838.tif 000032
【図３１】
2010266838.tif 000033
【図３２】
2010266838.tif 000034
【図３３】
2010266838.tif 000035